(57)【要約】【課題】非接触ＩＣカードを用いるタイミングで任意のアプリケーションを起動することができ、利便性を向上させた携帯通信端末を得る。【解決手段】ＩＣカード部１は、非接触ＩＣカードリーダライタ２００との間で搬送波を用いてデータの送受信を行う。制御部３は、ＩＣカード部１が非接触ＩＣカードリーダライタ２００からの搬送波を受信した場合、予め設定した特定のアプリケーションを起動する。【選択図】図１
2007328624.tif 000002
【特許請求の範囲】
【請求項１】
非接触ＩＣカードリーダライタとの間で搬送波を用いてデータの送受信を行うＩＣカード部と、
前記ＩＣカード部が前記非接触ＩＣカードリーダライタからの搬送波を受信した場合、予め設定した特定のアプリケーションを起動する制御部とを備えた携帯通信端末。
【請求項２】
制御部は、特定のアプリケーションの起動後、所定時間、端末操作による入力が無かった場合、前記特定のアプリケーションを終了することを特徴とする請求項１記載の携帯通信端末。
【請求項３】
非接触ＩＣカードリーダライタとの間で搬送波を用いてデータの送受信を行うＩＣカード部と、
前記ＩＣカード部が前記非接触ＩＣカードリーダライタからの搬送波を受信した後、一定時間内に所定の端末操作が行われた場合に、予め設定した特定のアプリケーションを起動する制御部とを備えた携帯通信端末。
【発明の詳細な説明】
【技術分野】
【０００１】
この発明は、非接触ＩＣカードを搭載した携帯通信端末に関し、特に、非接触ＩＣカードの使用と起動するアプリケーションとの連係動作に関するものである。
【背景技術】
【０００２】
今日、非接触ＩＣカードリーダライタとＩＣカードとの間で近接無線通信を行い、データの送受信を行う非接触ＩＣカード技術が用いられている。また、昨今では、このような非接触ＩＣカード技術は、単体のカードだけでなく、携帯電話といった携帯通信端末に搭載され、携帯通信端末において各種のサービスが受けられるようになっている。
【０００３】
一方、従来、携帯電話等の携帯通信端末において、外付けメモリカードにアプリケーションを格納し、このような外付けメモリカードが端末に装着されたタイミングで、格納されているアプリケーションを起動するようにしたものがあった（例えば、特許文献１参照）。
【０００４】
【特許文献１】特開２００４−５４８２４号公報
【発明の開示】
【発明が解決しようとする課題】
【０００５】
しかしながら、上記従来の携帯通信端末では、自身では通信機能を有しない単なるメモリカードによるアプリケーションの起動制御に関するものであるため、このような技術を、非接触ＩＣカードリーダライタと通信を行う非接触ＩＣカードを備えた携帯通信端末に対して単純に適用することは出来なかった。
【０００６】
この発明は上記のような課題を解決するためになされたもので、非接触ＩＣカードを用いるタイミングで任意のアプリケーションを起動することができ、利便性を向上させた携帯通信端末を得ることを目的とする。
【課題を解決するための手段】
【０００７】
この発明に係る携帯通信端末は、ＩＣカード部が非接触ＩＣカードリーダライタからの搬送波を受信した場合、予め設定した特定のアプリケーションを起動するようにしたのである。
【発明の効果】
【０００８】
この発明の携帯通信端末は、非接触ＩＣカードリーダライタからの搬送波を受信した場合に予め設定した特定のアプリケーションを起動するようにしたので、非接触ＩＣカードの使用時に任意のアプリケーションを自動起動させることができ、利便性を向上させることができる。
【発明を実施するための最良の形態】
【０００９】
実施の形態１．
図１は、この発明の実施の形態１による携帯通信端末を示す構成図である。
図において、携帯通信端末１００は、例えば携帯電話であり、ＩＣカード部１、操作部２、制御部３、スピーカ４、マイク５、無線部６、アンテナ７、ＲＯＭ８、ＲＡＭ９、表示部１０を備えている。
【００１０】
ＩＣカード部１は、携帯通信端末１００の外部に設けられた非接触ＩＣカードリーダライタ２００と電波による非接触の通信を行う非接触ＩＣカードである。このＩＣカード部１は、電波の送受信を行うためのアンテナや、種々の処理を行うためのＣＰＵやメモリおよびＩＣカード用のＯＳ（オペレーティングシステム）等が格納されたＩＣチップからなるものであり、非接触ＩＣカードリーダライタ２００との間で電波の送受信を行い、例えば、電子マネーによる決済や交通機関の自動改札および入館管理といった種々のサービスを実現するためのものである。尚、ＩＣカード部１の内部構成は既知であるため、ここでの図示は省略している。
【００１１】
操作部２は、携帯通信端末１００における各種のキーやダイヤルといった入力手段を備え、このような入力手段を用いて操作者の操作入力を受け付けるものである。制御部３は、携帯通信端末１００の各部の制御を司るものであり、携帯通信端末１００としての通信制御を行うと共に、ＩＣカード部１において、非接触ＩＣカードリーダライタ２００からの搬送波を受信した場合は、ＲＡＭ９に格納された所定のアプリケーションプログラムを起動するよう制御を行うものである。スピーカ４は、携帯通信端末１００としての通話機能を実現するための音声出力を行うものであり、マイク５は、通話機能を実現するための音声入力を行うものである。また、無線部６は、アンテナ７を介して、図示しない基地局との通信を行うためのものである。ＲＯＭ８は、携帯通信端末１００としての各種のデータやアプリケーションを格納するためのリード・オンリ・メモリであり、ＲＡＭ９は、携帯通信端末１００動作時におけるデータの一時記憶領域や各種のアプリケーション実行時の作業領域を構成する記憶部である。更に、表示部１０は、操作部２からの操作入力内容や、残高表示といった処理結果を表示するといった携帯通信端末１００における各種の情報を表示するためのディスプレイである。
【００１２】
次に、実施の形態１の携帯通信端末の動作について説明する。
先ず、無線通信端末としての動作を説明する。操作部２でダイヤル入力し、所定の通信開始を示す操作が行われると、制御部３は、無線部６、アンテナ７を介して無線通信を開始する。通信が開始されると、マイク５、スピーカ４を通じて会話を行うことが可能となる。また、携帯通信端末１００がインターネットといったネットワークへの通信機能を持つものでは、操作部２より所定の操作入力があると、制御部３は、無線部６、アンテナ７を介して通信を行い、所定の情報を表示部１０に表示させる。
【００１３】
次に、ＩＣカード部１による通信を行う場合を説明する。
非接触ＩＣカードによる通信を行う場合は、携帯通信端末１００を非接触ＩＣカードリーダライタ２００に近接させ、非接触ＩＣカードリーダライタ２００からの搬送波をＩＣカード部１で受信する。そして、ＩＣカード部１と非接触ＩＣカードリーダライタ２００とで所定のデータの送受信を行い、例えば、電子マネーによる決済処理といった処理を行う。ここで、アプリケーションによっては受信した結果を表示部１０へ表示することも可能である。即ち、制御部３は、非接触ＩＣカードによる通信で得たデータを表示するようなアプリケーションを実行している場合、ＩＣカード部１でデータを取得すると、制御部３はこのデータを表示部１０に表示するよう制御を行う。
【００１４】
また、本実施の形態では、非接触ＩＣカードによる通信を行ったときに起動するアプリケーションを予め設定しておくことができる。即ち、ユーザが、操作部２から起動アプリケーションを指定操作すると、制御部３は、指定されたアプリケーションプログラムをＲＡＭデータ９に記憶する。ここでは、起動アプリケーションとして「残高照会アプリケーション」を設定した場合について説明する。
【００１５】
図２は、実施の形態１におけるＩＣカード部１の通信による動作を示すフローチャートである。
ＩＣカード部１の使用が開始されると（ステップＳＴ１）、ＩＣカード部１は、非接触ＩＣカードリーダライタ２００からの搬送波の受信待ちを行う（ステップＳＴ２）。ステップＳＴ２において、非接触ＩＣカードリーダライタ２００からの搬送波がＩＣカード部１で受信されると、この搬送波を受信したという情報が制御部３に伝えられ、制御部３は、予め登録した起動アプリケーションとして残高照会用アプリケーションを起動する（ステップＳＴ３）。制御部３は、残高照会用アプリケーションを起動すると、所定の通信制御を行って残高照会処理を行う（ステップＳＴ４）。この残高照会処理により残高データが得られると、制御部３は、表示部１０に対して残高データを出力し、表示部１０によって残高表示が行われる（ステップＳＴ５）。
【００１６】
尚、上記実施の形態において、予め登録したアプリケーションの起動は、ＩＣカード部１と非接触ＩＣカードリーダライタ２００との通信によって行われる処理の内容（サービス内容）の種類にかかわらず行われるが、例えば、非接触ＩＣカードリーダライタ２００側で処理内容の情報を送信する機能を備えている場合は、その処理内容の情報に対応してアプリケーションの起動の有無を決定したり、処理内容と起動するアプリケーションとの対応を予め定めるようにしてもよい。
【００１７】
以上のように、実施の形態１の携帯通信端末によれば、非接触ＩＣカードリーダライタとの間で搬送波を用いてデータの送受信を行うＩＣカード部と、ＩＣカード部が非接触ＩＣカードリーダライタからの搬送波を受信した場合、予め設定した特定のアプリケーションを起動する制御部とを備えたので、非接触ＩＣカードを用いた種々のサービスを受ける場合でも、携帯通信端末のユーザが自らアプリケーションを立ち上げる必要がない。例えば、決済処理といったサービスの場合でもユーザが自ら残高照会用のアプリケーションを立ち上げる必要がなく、容易かつ速やかに残高確認を行うことができ、携帯通信端末としての利便性を向上させることができる。
【００１８】
実施の形態２．
実施の形態２は、非接触ＩＣカードリーダライタ２００からの搬送波を受信したことにより、予め登録したアプリケーションを起動した後、一定時間操作がなかった場合は、そのアプリケーションを終了させるようにしたものである。
【００１９】
実施の形態２における図面上の構成は実施の形態１と同様であるため、図１を援用して説明する。実施の形態２の制御部３は、ＩＣカード部１から搬送波受信の通知を受けた場合は、予め設定されたアプリケーションを起動すると共に、起動後、一定時間操作が行われなかった場合は、起動したアプリケーションを終了させるよう構成されている。それ以外の構成は実施の形態１と同様である。
【００２０】
次に、実施の形態２の動作について説明する。尚、実施の形態２においても、起動アプリケーションとして「残高照会アプリケーション」を設定した場合について説明する。
図３は、実施の形態２におけるＩＣカード部１の通信による動作を示すフローチャートである。
ステップＳＴ１において、ＩＣカード部１の使用が開始された後、ステップＳＴ５において残高が表示部１０で表示されるまでの処理は実施の形態１と同様である。実施の形態２では、ステップＳＴ５において残高を表示部１０に表示した後、制御部３は、一定時間内に操作部２から何らかの操作入力があるかを監視する（ステップＳＴ６）。ステップＳＴ６において、一定時間内に操作部２に対して何の操作も行われなかった場合、制御部３は、一定時間経過後、起動した残高照会用アプリケーションを終了する（ステップＳＴ７）。一方、ステップＳＴ６において、一定時間内に操作部２より何らかの操作入力があった場合は、残高照会用アプリケーションの起動を継続する（ステップＳＴ８）。
【００２１】
以上のように、実施の形態２の携帯通信端末によれば、制御部は、特定のアプリケーションの起動後、所定時間、端末操作による入力が無かった場合、特定のアプリケーションを終了するようにしたので、実施の形態１の効果に加えて、例えば、残高を確認する必要のないユーザの場合は何の操作もしなければ自動的にアプリケーションが閉じられるといったように、ユーザがアプリケーションの終了を意識する必要がないといった効果が得られる。
【００２２】
実施の形態３．
実施の形態３は、非接触ＩＣカードリーダライタ２００からの搬送波を受信した後、一定時間内に、所定の端末操作があった場合にのみ予め登録したアプリケーションを起動するようにしたものである。
【００２３】
実施の形態３における図面上の構成は実施の形態１と同様であるため、図１を援用して説明する。実施の形態３の制御部３は、ＩＣカード部１から搬送波受信の通知を受けた場合、一定時間内に、所定の端末操作があったかを監視し、操作が行われた場合にのみ、予め登録したアプリケーションを起動するようにしたものである。これ以外の構成は、実施の形態１と同様であるため、ここでの説明を省略する。
【００２４】
次に、実施の形態３の動作について説明する。
実施の形態３においても、起動アプリケーションとして「残高照会アプリケーション」を設定した場合について説明する。
【００２５】
図４は、実施の形態３におけるＩＣカード部１の通信による動作を示すフローチャートである。
ＩＣカード部１の使用が開始されると（ステップＳＴ１１）、ＩＣカード部１は、非接触ＩＣカードリーダライタ２００からの搬送波の受信待ちを行う（ステップＳＴ１２）。ステップＳＴ１２において、非接触ＩＣカードリーダライタ２００からの搬送波がＩＣカード部１で受信され、この搬送波を受信したという情報が制御部３に伝えられると、制御部３は、一定時間内に端末操作が行われたかを判定する（ステップＳＴ１３）。ここで、端末操作としては、携帯通信端末１００が折り畳み型のものでは筐体の開閉時、また、スライド式では筐体をスライドさせたタイミング、また、携帯通信端末１００の筐体が一体の、いわゆるストレートタイプでは、何らかのキー操作が行われたタイミングといったように、ユーザが非接触ＩＣカードによる通信以外で携帯通信端末１００に対して何らかの操作を行うこと意味している。
【００２６】
ステップＳＴ１３において、一定時間内に端末操作が行われた場合、制御部３は残高照会用のアプリケーションを起動し（ステップＳＴ１４）、残高照会が行われ（ステップＳＴ１５）、その処理結果である残高表示が表示部１０に行われる（ステップＳＴ１６）。一方、ステップＳＴ１３において、一定時間内に端末操作が行われなかった場合は、残高照会用のアプリケーションは起動せず、そのまま終了する。
【００２７】
以上のように、実施の形態３の携帯通信端末によれば、非接触ＩＣカードリーダライタとの間で搬送波を用いてデータの送受信を行うＩＣカード部と、ＩＣカード部が非接触ＩＣカードリーダライタからの搬送波を受信した後、一定時間内に所定の端末操作が行われた場合に、予め設定した特定のアプリケーションを起動する制御部とを備えたので、例えば、店舗での携帯通信端末１００を用いた代金の支払い時、残高を確認したい場合は、端末操作を行うことで直ちに残高確認アプリケーションが自動的に起動される、といったように、操作を簡便化することができる。
【００２８】
また、例えば、携帯通信端末１００のＩＣカード部１を自宅の鍵として使用する場合のように、非接触ＩＣカードの使用による所定のアプリケーションの起動の必要がない場合は、特に、端末操作が行われないことから所定のアプリケーションは起動せず、このような点からもユーザは非接触ＩＣカードの使用によるアプリケーションの起動を意識する必要がない。
【００２９】
尚、上記各実施の形態では、起動するアプリケーションとして、残高照会用アプリケーションの場合を説明したが、このアプリケーションに限定されるものではなく、どのようなアプリケーションであっても適用可能である。
また、上記各実施の形態では、携帯通信端末１００として携帯電話の例を説明したが、非接触ＩＣカードを備えた携帯通信端末であればどのようなものであってもよい。
【図面の簡単な説明】
【００３０】
【図１】この発明の実施の形態１による携帯通信端末を示す構成図である。
【図２】この発明の実施の形態１の動作を示すフローチャートである。
【図３】この発明の実施の形態２の動作を示すフローチャートである。
【図４】この発明の実施の形態３の動作を示すフローチャートである。
【符号の説明】
【００３１】
１  ＩＣカード部、２  操作部、３  制御部、１０  表示部、１００  携帯通信端末、２００  非接触ＩＣカードリーダライタ。
【図１】
2007328624.tif 000003
【図２】
2007328624.tif 000004
【図３】
2007328624.tif 000005
【図４】
2007328624.tif 000006